(57)【要約】    【課題】      ＴＦＣ Selectionの対象となる上り回線チャネルとＴＦＣ Selectionの対象にない上り回線チャネルとが存在する場合に、全てのチャネルの送信電力の総和が最大送信電力を超えないように制御すること。    【解決手段】  リソース割当部１９１は、ＤＰＣＣＨの送信電力及びオフセット値に基づいて第１チャネル及び第２チャネルのリソースを割り当てる。ＴＦＣ Selection部１６２は、各バッファ１６１−１〜１６１−Ｎに蓄積されたバッファ量に基づいてＴＦＣを作成し、リソース割当部１９１にて割り当てられた第１チャネルのリソースに基づいて使用可能なＴＦＣの選択（ＴＦＣ Selection）を行う。ＴＦＣ決定部１６３は、ＤＣＨ＃１〜＃Ｎの優先度情報に基づいて、選択可能なＴＦＣの中から１つのＴＦＣを決定する。  【選択図】      図１
2005064872.tif 000002
【特許請求の範囲】
【請求項１】
トランスポートフォーマットコンビネーションセレクションの対象となる第１チャネルのデータと前記トランスポートフォーマットコンビネーションセレクションの対象にならない第２チャネルのデータを多重して伝送する通信端末装置であって、
前記第１チャネル及び前記第２チャネルの総送信電力が前記通信端末装置にて送信可能な最大送信電力を超えないように前記第１チャネルのリソース及び前記第２チャネルのリソースを割り当てるリソース割当手段と、
前記リソース割当手段にて割り当てられた前記第１チャネルのリソースの範囲内で送信可能なトランスポートフォーマットコンビネーションを選択するＴＦＣ選択手段と、を具備することを特徴とする通信端末装置。
【請求項２】
前記リソース割当手段は、前記第１チャネルのリソースあるいは前記第２チャネルのリソースのいずれか一方を優先的に確保し、他方のチャネルのリソースを割り当てることを特徴とする請求項１記載の通信端末装置。
【請求項３】
前記第２チャネルから送信される情報の有無を監視し、過去に前記第２チャネルから送信された情報の情報量を前記リソース割当手段に出力する送信状況モニタ手段を具備し、
前記リソース割当手段は、前記情報量に基づいて前記第２チャネルのリソースを割り当てることを特徴とする請求項１記載の通信端末装置。
【請求項４】
送信状況モニタ手段は、所定の期間に対する前記第２チャネルから情報が送信された時間の割合である送信状況係数を算出し、送信状況係数を前記リソース割当手段に出力し、
前記リソース割当手段は、個別制御チャネルの送信電力に所定のオフセット値及び前記送信状況係数を乗算して前記第２チャネルのリソースを計算することを特徴とする請求項３記載の通信端末装置。
【請求項５】
前記リソース割当手段は、トランスポートフォーマットコンビネーション毎に前記第１チャネル及び前記第２チャネルのリソースを割り当てることを特徴とする請求項１から請求項４のいずれかに記載の通信端末装置。
【請求項６】
前記第２チャネルが複数存在する場合、前記リソース割当手段は、最初に前記第２チャネルの所定のチャネルについてリソースを確保し、前記所定のチャネル以外のチャネルについて、残ったリソースの割り当てを行うことを特徴とする請求項１から請求項５のいずれかに記載の通信端末装置。
【請求項７】
リソース割当手段は、前記第２チャネルから送信する情報の種類によって、前記第１チャネルのリソースあるいは前記第２チャネルのリソースのどちらを優先的に確保するかを選択することを特徴とする請求項２記載の通信端末装置。
【請求項８】
リソース割当手段は、前記第２チャネルから送信する情報が未来のスケジューリングに用いるものである場合、前記第１チャネルのリソースを優先的に確保することを特徴とする請求項７記載の通信端末装置。
【請求項９】
トランスポートフォーマットコンビネーションセレクションの対象となる第１チャネルのデータと前記トランスポートフォーマットコンビネーションセレクションの対象にならない第２チャネルのデータを多重して伝送する通信端末装置の送信電力制御方法であって、
前記第１チャネル及び前記第２チャネルの総送信電力が前記通信端末装置にて送信可能な最大送信電力を超えないように前記第１チャネルのリソース及び前記第２チャネルのリソースを割り当てる工程と、
前記リソース割当手段にて割り当てられたリソースの範囲内で前記第１チャネルの送信電力及び前記第２チャネルの送信電力を制御する工程と、を具備することを特徴とする通信端末装置の送信電力制御方法。
【発明の詳細な説明】
【技術分野】
【０００１】
本発明は、ＣＤＭＡ方式の無線通信システムに使用される通信端末装置及びその送信電力制御方法に関する。
【背景技術】
【０００２】
無線通信システムでは、通信端末装置の総送信電力が最大送信電力を超えてしまう場合、いずれかのチャネルの送信を停止する、もしくは、伝送レートを下げる等の制御を行い、総送信電力が最大送信電力を超えないようにすることが必要となる。Ｗ-ＣＤＭＡの３ＧＰＰのRelease99仕様では、これを実現する方法としてトランスポートフォーマットコンビネーションセレクション(Transport Format Combination Selection：以下、「ＴＦＣ Selection」という）が標準化されている。
【０００３】
ＴＦＣ Selectionでは、通信端末装置が、複数の個別チャネル（Dedicated Channel：以下、「ＤＣＨ」と省略する)でデータを多重して伝送する場合に、各ＤＣＨで送信するデータ量等を示すトランスポートフォーマット（Transport Format：以下、「ＴＦ」と省略する)の組合せであるトランスポートフォーマットコンビネーション(Transport Format Combination：以下、「ＴＦＣ」と省略する)毎に総送信電力が最大送信電力を超えないか否かを判定し、送信可能なＴＦＣを選択する。なお、以下の説明において、全てのＴＦＣの集合をＴＦＣＳ（Transport Format Combination Set）という。
【０００４】
以下、ＴＦＣ Selectionについて図２１を用いて具体的に説明する。図２１では、ＤＣＨが２つで、ＤＣＨ＃１には３つのＴＦがあり、ＤＣＨ＃２には２つのＴＦがある場合を示す（図２１（Ａ））。この場合、図２１（Ｂ）に示すように、ＴＦＣ１〜ＴＦＣ６の６通りのＴＦＣが存在することになる。なお、図２１（Ａ）、（Ｂ）では、各ＴＦのビット数を横軸の長さで表している。
【０００５】
ここで、単位時間に送信しなければならないビット数が増えるほど伝送レートを速くする必要があり、所定の品質を得るためには伝送レートが速いほど送信電力を高くしなければならない。
【０００６】
図２１（Ｃ）はＴＦＣ毎の送信電力を示し、送信電力はビット数と比例関係にあるとしている。なお、図２１（Ｃ）において、点線は最大送信電力Ｐmaxを示している。
【０００７】
図２１（Ｃ）の場合、通信端末装置は、ＴＦＣＳにおけるＴＦＣ１〜ＴＦＣ３において総送信電力が最大送信電力Ｐmaxを下回るので送信可能と判定し、ＴＦＣＳにおけるＴＦＣ４〜ＴＦＣ６において総送信電力が最大送信電力Ｐmaxを上回り送信電力が足りないため送信不可能と判定する。そして、通信端末装置は、送信可能と判定したＴＦＣ１〜ＴＦＣ３の中から１つのＴＦＣを選択する。
【０００８】
通信端末装置が以上の動作を定期的に行うこと、すなわち、ＴＦＣＳにおけるＴＦＣ毎に最大送信電力を超えるかどうかを判定することにより、通信端末装置の最大送信電力を超えないで通信を行うことができる。
【０００９】
ここで、通信端末装置には、下りパケットチャネルであるＨＳ-ＤＳＣＨの受信と、ＨＳ-ＤＳＣＨのための上り制御情報であるＨＳ-ＤＰＣＣＨの送信を行う場合がある。
【００１０】
図２２は、図２１のＤＣＨに加えてＴＦＣＳに含まれないチャネルであるＨＳ-ＤＰＣＣＨを送信する場合のＴＦＣ毎の送信電力を示す図である。図２２の場合、図２１（Ｃ）の送信電力に、ＨＳ-ＤＰＣＣＨの送信電力がさらに必要となる。この結果、最大送信電力を超えないでＨＳ-ＤＰＣＣＨとともに送信可能なＴＦＣは、ＴＦＣ１のみとなる。
【非特許文献１】３ＧＰＰ  ＴＳＧ  Ｒ１−０３００６２，「Reference Techniques - TFC selection in UE」
【発明の開示】
【発明が解決しようとする課題】
【００１１】
しかしながら、従来の通信端末装置では、ＨＳ−ＤＰＣＣＨがＴＦＣＳに含まれないことからＴＦＣ Selectionの対象にないため、ＴＦＣ Selectionの際にＨＳ-ＤＰＣＣＨを考慮することができず、ＴＦＣ１〜ＴＦＣ３が送信可能だと誤って判定し、ＴＦＣ２あるいはＴＦＣ３を選択してしまい最大送信電力Ｐmaxを上回ってしまう危険性がある。
【００１２】
このように、従来の通信端末装置は、ＴＦＣ Selectionの対象にない上りチャネル（すなわちＴＦＣＳに含まれないチャネル）が追加されることにより、全てのチャネルの送信電力の総和が最大送信電力を超えてしまう危険性がある。この結果、他ユーザへ与える干渉が増えるとともに、送信アンプの非線形領域での動作することによる隣接チャネル干渉が増加して自システムのみならず他周波数のセルもしくは他システムへも影響を与えるという問題がある。
【００１３】
本発明は、以上の点に鑑みてなされたものであり、ＴＦＣＳに含まれＴＦＣSelectionの対象となる上り回線チャネルとＴＦＣＳに含まれずＴＦＣ Selectionの対象にない上り回線チャネルとが存在する場合に、全てのチャネルの送信電力の総和が最大送信電力を超えないように制御することができる通信端末装置及び送信電力制御方法を提供することを目的とする。
【課題を解決するための手段】
【００１４】
かかる課題を解決するため、本発明の通信端末装置は、ＴＦＣ Selectionの対象となる第１チャネルのデータと前記ＴＦＣ Selectionの対象にならない第２チャネルのデータを多重して伝送する通信端末装置であって、前記第１チャネル及び前記第２チャネルの総送信電力が前記通信端末装置にて送信可能な最大送信電力を超えないように前記第１チャネルのリソース及び前記第２チャネルのリソースを割り当てるリソース割当手段と、前記リソース割当手段にて割り当てられた前記第１チャネルのリソースの範囲内で送信可能なＴＦＣを選択するＴＦＣ選択手段と、を具備する構成をとる。
【００１５】
本発明の通信端末装置は、前記リソース割当手段が、前記第１チャネルのリソースあるいは前記第２チャネルのリソースのいずれか一方を優先的に確保し、他方のチャネルのリソースを割り当てる構成をとる。
【００１６】
これらの構成により、ＴＦＣ Selectionの対象となる上り回線チャネルとＴＦＣ Selectionの対象にない上り回線チャネルとが存在する場合に、それぞれのチャネルのリソースを割り当て、割り当てられたリソースの範囲内でＴＦＣ Selectionを行うことができ、全てのチャネルの送信電力の総和が最大送信電力を超えないように制御することができる。
【００１７】
本発明の通信端末装置は、前記第２チャネルから送信される情報の有無を監視し、過去に前記第２チャネルから送信された情報の情報量を前記リソース割当手段に出力する送信状況モニタ手段を具備し、前記リソース割当手段が、前記情報量に基づいて前記第２チャネルのリソースを割り当てる構成をとる。
【００１８】
本発明の通信端末装置は、送信状況モニタ手段が、所定の期間に対する前記第２チャネルから情報が送信された時間の割合である送信状況係数を算出し、送信状況係数を前記リソース割当手段に出力し、前記リソース割当手段が、個別制御チャネルの送信電力に所定のオフセット値及び前記送信状況係数を乗算して前記第２チャネルのリソースを計算する構成をとる。
【００１９】
これらの構成により、データがバースト的に送信される第２チャネルにおいて過剰にリソースを確保してしまうことを避けることができる。この結果、第１チャネルのリソースを、最大送信電力を上回ることなく、より多く確保することができる。
【００２０】
本発明の通信端末装置は、前記リソース割当手段が、ＴＦＣ毎に前記第１チャネル及び前記第２チャネルのリソースを割り当てる構成をとる。
【００２１】
本発明の通信端末装置は、前記第２チャネルが複数存在する場合、前記リソース割当手段が、最初に前記第２チャネルの所定のチャネルについてリソースを確保し、前記所定のチャネル以外のチャネルについて、残ったリソースの割り当てを行う構成をとる。
【００２２】
本発明の通信端末装置は、リソース割当手段が、前記第２チャネルから送信する情報の種類によって、前記第１チャネルのリソースあるいは前記第２チャネルのリソースのどちらを優先的に確保するかを選択する構成をとる。
【００２３】
本発明の通信端末装置は、リソース割当手段が、前記第２チャネルから送信する情報が未来のスケジューリングに用いるものである場合、前記第１チャネルのリソースを優先的に確保する構成をとる。
【００２４】
これらの構成により、全てのチャネルの送信電力の総和が最大送信電力を超えないように制御することができ、さらに、きめ細かくリソースの割当を行うことができる。
【００２５】
本発明の通信端末装置の送信電力制御方法は、ＴＦＣ Selectionの対象となる第１チャネルのデータと前記ＴＦＣ Selectionの対象にならない第２チャネルのデータを多重して伝送する通信端末装置の送信電力制御方法であって、前記第１チャネル及び前記第２チャネルの総送信電力が前記通信端末装置にて送信可能な最大送信電力を超えないように前記第１チャネルのリソース及び前記第２チャネルのリソースを割り当てる工程と、前記リソース割当手段にて割り当てられたリソースの範囲内で前記第１チャネルの送信電力及び前記第２チャネルの送信電力を制御する工程と、を具備する方法をとる。
【００２６】
この方法により、ＴＦＣ Selectionの対象となる上り回線チャネルとＴＦＣ Selectionの対象にない上り回線チャネルとが存在する場合に、それぞれのチャネルのリソースを割り当て、割り当てられたリソースの範囲内でＴＦＣ Selectionを行うことができ、全てのチャネルの送信電力の総和が最大送信電力を超えないように制御することができる。
【発明の効果】
【００２７】
本発明によれば、ＴＦＣＳに含まれＴＦＣ Selectionの対象となる上り回線チャネルとＴＦＣＳに含まれずＴＦＣ Selectionの対象にない上り回線チャネルとが存在する場合に、それぞれのチャネルのリソースを割り当て、割り当てられたリソースの範囲内でＴＦＣ Selectionを行うことにより、全てのチャネルの送信電力の総和が最大送信電力を超えないように制御することができる。
【発明を実施するための最良の形態】
【００２８】
以下、本発明の実施の形態について図面を参照して詳細に説明する。
【００２９】
（実施の形態１）
図１は、本発明の実施の形態１に係る通信端末装置の構成を示すブロック図である。
【００３０】
まず、図１の通信端末装置の受信部の構成について説明する。
【００３１】
受信無線部１０２は、アンテナ１０１に受信された信号をベースバンド信号にダウンコンバートし、Ａ／Ｄ変換処理を行う。
【００３２】
逆拡散部１０３は、受信無線部１０２の出力信号に対してＤＣＨ用の拡散コードで逆拡散処理を行う。復調部１０４は、逆拡散部１０３の出力信号に対して復調処理を行う。チャネルデコード部１０５は、復調部１０４の出力信号に対して復号処理を行い、受信ＤＣＨデータ及びＵＬ−ＴＰＣコマンドを取り出す。ＵＬ−ＴＰＣコマンドは、送信電力制御部１５４に入力される。
【００３３】
ＳＩＲ測定部１０６は、逆拡散部１０３の出力信号の希望波電力を測定し、希望波電力の分散値から干渉波電力を算出し、希望波電力と干渉波電力との比（以下、「ＳＩＲ」という）を測定する。ＴＰＣ生成部１０７は下り回線の受信ＳＩＲと目標ＳＩＲとの大小関係により、下り回線の送信電力の増減を指示する下り回線用の送信電力制御コマンド（以下、「ＤＬ−ＴＰＣ」という）を生成する。ＤＬ−ＴＰＣはチャネルエンコード部１５１に入力される。
【００３４】
ＣＱＩ生成部１０８は、下り回線の受信ＳＩＲにより下り回線品質を示す情報であるＣＱＩを生成する。ＣＱＩはチャネルエンコード部１７１に入力される。
【００３５】
逆拡散部１０９は、受信無線部１０２の出力信号に対してＨＳ-ＤＳＣＨ用の拡散コードで逆拡散処理を行う。復調部１１０は、逆拡散部１０９の出力信号に対して復調を行う。チャネルデコード部１１１は、デコードを行い、受信ＨＳ−ＤＳＣＨデータを取り出す。
【００３６】
誤り検出部１１２は、チャネルデコード部１１１から出力された受信ＨＳ−ＤＳＣＨデータに対して誤り検出を行い、誤りが検出されなかった場合にはＡＣＫ信号を、誤りが検出された場合にはＮＡＣＫ信号をチャネルエンコード部１７１に出力する。
【００３７】
次に、図１の通信端末装置の送信部の構成について説明する。
【００３８】
チャネルエンコード部１５１は、ＰＩＬＯＴおよびＤＬ−ＴＰＣコマンドに対して符号化処理を行う。変調部１５２は、チャネルエンコード部１５１の出力信号に対して変調処理を行う。拡散部１５３は、変調部１５２の出力信号に対して拡散処理を行う。送信電力制御部１５４は、記憶している送信電力をもとにＵＬ−ＴＰＣコマンドにより送信電力を増減し、増幅部１５５を制御する。増幅部１５５は、送信電力制御部１５４の制御に基づき、拡散部１５３の出力信号を増幅してＤＰＣＣＨとして送信無線部１８１に出力する。
【００３９】
各バッファ１６１−１〜１６１−Ｎは、対応するＤＣＨ＃１〜＃Ｎのデータを一時的に蓄積し、後述するＴＦＣ決定部１６３から指示されたＴＦに対応するデータを取り出しチャネルエンコード部１６４に出力する。
【００４０】
ＴＦＣ Selection部１６２は、各バッファ１６１−１〜１６１−Ｎに蓄積されたバッファ量に基づいてＴＦＣを作成し、後述するリソース割当部１９１にて割り当てられた第１チャネルのリソースに基づいて使用可能なＴＦＣの選択（ＴＦＣ Selection）を行い、選択したＴＦＣ及びＤＰＤＣＨ用のリソースをＴＦＣ決定部１６３に出力する。
【００４１】
ＴＦＣ決定部１６３は、ＤＣＨ＃１〜＃Ｎの優先度情報に基づいて、選択可能なＴＦＣの中から１つのＴＦＣを決定し、各バッファ１６１−１〜１６１−ＮにＴＦを指示し、送信電力制御部１６７にＤＰＤＣＨ用のリソースを示す情報を出力する。
【００４２】
チャネルエンコード部１６４は、各バッファ１６１−１〜１６１−Ｎの出力信号に対して符号化処理を行う。変調部１６５は、チャネルエンコード部１６４の出力信号に対して変調処理を行う。拡散部１６６は、変調部１６５の出力信号に対して拡散処理を行う。送信電力制御部１６７は、ＤＰＤＣＨ用のリソースに基づく送信電力となるように増幅部１６８を制御する。増幅部１６８は、送信電力制御部１６７の制御に基づき、拡散部１６６の出力信号を増幅してＤＰＤＣＨとして送信無線部１８１に出力する。
【００４３】
なお、通信端末装置は、１５１から１６８の各構成部分により第１送信部（ＤＣＨ用）を構成する。また、以下の説明において、第１送信部に属するチャネルであって、ＴＦＣ Selectionの対象となる上り回線チャネルを第１チャネルという。
【００４４】
チャネルエンコード部１７１は、ＡＣＫ／ＮＡＣＫおよびＣＱＩに対して符号化処理を行う。変調部１７２は、チャネルエンコード部１７１の出力信号に対して変調処理を行う。拡散部１７３は、変調部１７２の出力信号に対して拡散処理を行う。
【００４５】
オフセット制御部１７４は、ＡＣＫ／ＮＡＣＫもしくはＣＱＩを送信する場合に、後述するリソース割当部１９１にて割り当てられたリソースをオフセット値として送信電力制御部１７５に設定する。
【００４６】
送信電力制御部１７５は、ＤＰＣＣＨの送信電力にオフセットを乗算した値により送信電力を増減し、増幅部１７６を制御する。増幅部１７６は、送信電力制御部１７５の制御に基づき、拡散部１７３の出力信号を増幅してＨＳ-ＤＰＣＣＨとして送信無線部１８１に出力する。
【００４７】
なお、通信端末装置は、１７１から１７６の各構成部分により第２送信部（ＨＳ−ＤＰＣＣＨ用）を構成する。また、以下の説明において、第２送信部に属するチャネルであって、ＴＦＣ Selectionの対象とならない上り回線チャネルを第２チャネルという。
【００４８】
送信無線部１８１は、ＤＰＣＣＨ、ＤＰＤＣＨ及びＨＳ-ＤＰＣＣＨを多重し、Ｄ／Ａ変換処理およびアップコンバートを行ってアンテナ１０１より無線送信する。
【００４９】
リソース割当部１９１は、ＤＰＣＣＨの送信電力及びオフセット値に基づいて第１チャネル及び第２チャネルのリソースを割り当てる。なお、オフセット値として、外部から入力されるオフセット設定値を用いる場合と、ＴＦＣ決定部１６３にて決定されたＴＦＣ固有のオフセット値を用いる場合がある。
【００５０】
以下、リソース割当部１９１のリソース割り当て方法の例について具体的に説明する。
【００５１】
まず、第２チャネルのリソースを優先して確保する第１のリソース割り当て方法について図２を用いて説明する。この場合、リソース割当部１９１は、ＤＰＣＣＨの送信電力Ｐdpcchに、外部から入力したオフセット値Offsetを乗算して第２チャネルのリソースＰ２を計算し、Ｐ２をオフセット制御部１７４に出力する（ＳＴ２０１）。さらに、リソース割当部１９１は、最大送信電力ＰmaxからＰdpcchおよびＰ２を減ずることにより、第１チャネルのリソースＰ１を計算し、Ｐ１をＴＦＣ Selection部１６２に出力する（ＳＴ２０２）。
【００５２】
図３は、第１の方法によりリソースを割り当てた結果を示す図であり、図４は、第１の方法により割り当てた各リソースの時間的推移を示す図である。図３及び図４に示すように、第１の方法によれば、第２チャネルのリソースを優先して確保することができるため、第２チャネルのサービス提供範囲（coverage）を常に保つことができる。また、第１チャネルについても最大送信電力を上回らないように適切なＴＦＣを選択することができる。
【００５３】
次に、第１チャネルのリソースを優先して確保する第２のリソース割り当て方法について図５を用いて説明する。この場合、リソース割当部１９１は、ＴＦＣ決定部１６３にて決定されたＴＦＣ＃ｉを入力し、ＤＰＣＣＨの送信電力ＰdpcchにＴＦＣ＃ｉのオフセット値Offset（TFC#i）を乗算して第１チャネルのリソースＰ１を計算し、Ｐ１をＴＦＣ Selection部１６２に出力する（ＳＴ５０１）。さらに、リソース割当部１９１は、最大送信電力ＰmaxからＰdpcchおよびＰ１を減ずることにより、第２チャネルのリソースＰ２を計算し、Ｐ２をオフセット制御部１７４に出力する（ＳＴ５０２）。
【００５４】
図６は、第２の方法によりリソースを割り当てた結果を示す図であり、図７は、第２の方法により割り当てた各リソースの時間的推移を示す図である。図６及び図７に示すように、第２の方法によれば、第１チャネルのリソースを優先して確保することができるため、第１送信部のチャネルのサービス提供範囲（coverage）を常に保つことができる。また、第２送信部のチャネルにおいて所定品質を得るための十分な送信電力を確保できない場合が生じるが、最大送信電力は上回らないようにすることができる。
【００５５】
次に、第２チャネルのリソースを優先して確保し、確保した第２チャネルのリソースを補正する第３のリソース割り当て方法について図８を用いて説明する。この場合、リソース割当部１９１は、ＤＰＣＣＨの送信電力Ｐdpcchに、外部から入力したオフセット値Offset及び所定の係数Ｂ（０≦Ｂ≦１）を乗算して第２チャネルのリソースＰ２を計算し、Ｐ２をオフセット制御部１７４に出力する（ＳＴ８０１）。さらに、リソース割当部１９１は、最大送信電力ＰmaxからＰdpcchおよびＰ２を減ずることにより、第１チャネルのリソースＰ１を計算し、Ｐ１をＴＦＣ Selection部１６２に出力する（ＳＴ８０２）。なお、係数Ｂは、所定品質を得るために第２送信部が必要とするリソースと実際に割り当てられる第２チャネルのリソースとの比を示すものとなる。
【００５６】
図９は、第３の方法によりリソースを割り当てた結果を示す図であり、図１０は、第３の方法により割り当てた各リソースの時間的推移を示す図である。図９及び図１０に示すように、第３の方法によれば、第２チャネルのリソースを優先して確保し、確保した第２チャネルのリソースに係数を乗算して補正することにより、第１チャネルのリソースとのバランスを図ることができる。
【００５７】
このように、本実施の形態によれば、ＴＦＣ Selectionの対象となる上り回線チャネルとＴＦＣ Selectionの対象にない上り回線チャネルとが存在する場合に、それぞれのチャネルのリソースを割り当て、割り当てられたリソースの範囲内でＴＦＣ Selectionを行うことにより、全てのチャネルの送信電力の総和が最大送信電力を超えないように制御することができる。
【００５８】
なお、本実施の形態では、オフセット値Offsetおよび係数Ｂが固定の場合を説明したが、本発明はこれに限られずオフセット値Offsetおよび係数Ｂが伝送する情報（ＡＣＫ／ＮＡＣＫ、ＣＱＩ、ＣＱＩのレベルに応じた設定）、符号化方法（リピティションの有／無）、送信種別（周期的な送信、トリガされた送信）、通信端末装置が接続している基地局装置の数（ソフトハンドオーバの有／無）、ネットワーク側の指示等により可変にしてもよい。
【００５９】
（実施の形態２）
図１１は、本発明の実施の形態２に係る通信端末装置の構成を示すブロック図である。なお、図１１において、図１と共通する構成部分には、図１と同一の符号を付してその詳しい説明を省略する。
【００６０】
図１１に示した通信端末装置は、図１と比較して送信状況モニタ部１１０１を追加した構成を採る。
【００６１】
送信状況モニタ部１１０１は、第２チャネルから送信する情報（ＨＳ−ＤＰＣＣＨのＡＣＫ／ＮＡＣＫ、ＣＱＩ）の有無を監視し、過去に第２チャネルから送信された情報量をリソース割当部１９１に出力する。具体的には、送信状況モニタ部１１０１は、予め定められた所定の期間Ｔmonitorに対する第２チャネルから情報が送信された時間Ｔtxの割合である送信状況係数Ａtxを算出し、Ａtxをリソース割当部１９１に出力する。
【００６２】
リソース割当部１９１は、図１２に示すように、ＤＰＣＣＨの送信電力Ｐdpcchに、外部から入力したオフセット値Offset及び送信状況係数Ａtxを乗算して第２チャネルのリソースＰ２を計算し、Ｐ２をオフセット制御部１７４に出力する（ＳＴ１２０１）。さらに、リソース割当部１９１は、最大送信電力ＰmaxからＰdpcchおよびＰ２を減ずることにより、第１チャネルのリソースＰ１を計算し、Ｐ１をＴＦＣ Selection部１６２に出力する（ＳＴ１２０２）。
【００６３】
図１３は、本実施の形態によりリソースを割り当てた結果を示す図であり、図１４は、本実施の形態により割り当てた各リソースの時間的推移を示す図である。
【００６４】
このように、本実施の形態によれば、第２チャネルのリソースを優先して確保することができるとともに、第２チャネルから送信される情報の送信状況を監視することにより、データがバースト的に送信される第２チャネルにおいて過剰にリソースを確保してしまうことを避けることができる。この結果、第１チャネルのリソースを、最大送信電力を上回ることなく上記実施の形態１の第１の方法よりも多く確保することができる。
【００６５】
（実施の形態３）
図１５は、本発明の実施の形態３に係る通信端末装置の構成を示すブロック図である。なお、図１５において、図１と共通する構成部分には、図１と同一の符号を付してその詳しい説明を省略する。
【００６６】
図１５に示した通信端末装置は、図１と比較して係数算出部１５０１を追加した構成を採る。
【００６７】
係数算出部１５０１は、ＴＦＣ Selection部１６２が作成したＴＦＣを入力し、ＴＦＣ毎に係数を設定し、設定した係数をリソース割当部１９１に出力する。
【００６８】
リソース割当部１９１は、ＤＰＣＣＨの送信電力、オフセット値及び各ＴＦＣの係数に基づいてＴＦＣ毎に第１送信部および第２チャネルのリソースを計算する。具体的には、リソース割当部１９１は、図１６に示すように、各ＴＦＣについて、ＤＰＣＣＨの送信電力Ｐdpcchに外部から入力したオフセット値Offset及び各ＴＦＣの係数Ｃ（TFC#i）を乗算して第２チャネルのリソースＰ２を計算し、Ｐ２をオフセット制御部１７４に出力する（ＳＴ１６０１）。さらに、リソース割当部１９１は、最大送信電力ＰmaxからＰdpcchおよびＰ２を減ずることにより、第１チャネルのリソースＰ１を計算し、Ｐ１をＴＦＣ Selection部１６２に出力する（ＳＴ１６０２）。このＳＴ１６０１、ＳＴ１６０２の工程を全てのＴＦＣに対して行うことにより、図１７に示すように、ＴＦＣ毎に第１送信部のＤＰＤＣＨ用及び第２チャネルのリソースを割り当てることができる。
【００６９】
ＴＦＣ Selection部１６２は、ＴＦＣ Selectionを行い、選択したＴＦＣ及びＤＰＤＣＨ用のリソースをＴＦＣ決定部１６３に出力する。
【００７０】
ＴＦＣ決定部１６３は、ＤＣＨ＃１〜＃Ｎの優先度情報に基づいて、選択可能なＴＦＣの中から１つのＴＦＣを決定し、決定したＴＦＣを示す情報をオフセット制御部１７４に出力する。
【００７１】
オフセット制御部１７４は、入力したＴＦＣに対応する第２チャネルのリソース分のオフセットを送信電力制御部１７５に設定する。
【００７２】
このように、本実施の形態によれば、ＴＦＣ毎に第１送信部のＤＰＤＣＨ用及び第２チャネルのリソースを割り当てることにより、上記実施の形態１よりもきめ細かくリソースの割当を行うことができる。
【００７３】
ここで、システム運営において所定のＴＦＣの品質が確保される必要のある場合等、第１送信部と第２送信部のどちらのリソースを優先して確保すべきかが、ＴＦＣによって異なる場合がある。
【００７４】
本実施の形態では、リソース割当部１９１が、ＴＦＣによって，第１送信部と第２送信部のどちらのリソースを優先して確保すべきかを判断し、リソースの割り当て方法を適宜切替えることもできる。
【００７５】
図１８において、リソース割当部１９１は、まず、ＴＦＣ毎に第１送信部と第２送信部のどちらのリソースを優先して確保すべきかを判断する（ＳＴ１８０１）。
【００７６】
そして、第１チャネルのリソースを優先して確保する場合、リソース割当部１９１は、ＴＦＣ決定部１６３にて決定されたＴＦＣ＃ｉを入力し、ＤＰＣＣＨの送信電力ＰdpcchにＴＦＣ＃ｉのオフセット値Offset（TFC#i）を乗算して第１チャネルのリソースＰ１を計算し、Ｐ１をＴＦＣ Selection部１６２に出力する（ＳＴ１８０２）。さらに、リソース割当部１９１は、最大送信電力ＰmaxからＰdpcchおよびＰ１を減ずることにより、第２チャネルのリソースＰ２を計算し、Ｐ２をオフセット制御部１７４に出力する（ＳＴ１８０３）。
【００７７】
一方、第２チャネルのリソースを優先して確保する場合、リソース割当部１９１は、ＤＰＣＣＨの送信電力Ｐdpcchに、外部から入力したオフセット値Offsetを乗算して第２チャネルのリソースＰ２を計算し、Ｐ２をオフセット制御部１７４に出力する（ＳＴ１８０４）。さらに、リソース割当部１９１は、最大送信電力ＰmaxからＰdpcchおよびＰ２を減ずることにより、第１チャネルのリソースＰ１を計算し、Ｐ１をＴＦＣ Selection部１６２に出力する（ＳＴ１８０５）。
【００７８】
このＳＴ１８０１〜ＳＴ１８０５の工程を全てのＴＦＣに対して行うことにより、図１９に示すように、第１送信部のＤＰＤＣＨ用あるいは第２送信部のどちらのリソースを優先的に確保して割り当てるかを、ＴＦＣ毎に選択的に行うことができる。なお、図１９では、ＴＦＣ１が第１チャネルのリソースを優先して確保するＴＦＣ、ＴＦＣ２及びＴＦＣ３が第２チャネルのリソースを優先して確保するＴＦＣである場合を示す。
【００７９】
（その他の実施の形態）
なお、上記各実施の形態において、ＴＦＣ Selectionの対象にない上りチャネルとして、ＨＳ−ＤＰＣＣＨを例として説明したが、本発明はこれに限られず、他のＴＦＣ Selectionの対象にない上りチャネルやＤＣＨとは異なるＴＦＣＳに含まれるチャネルが追加される場合においても適用することができる。ＴＦＣ Selectionの対象にない上りチャネルの例として、Ｅ−ＤＣＨ（Enhancement-Dedicated Channel）のデータを伝送するチャネルであるＥ−ＤＰＤＣＨ、Ｅ−ＤＰＤＣＨに関するデータフォーマット情報及び制御情報（例えばハイブリッドＡＲＱに関する情報）を伝送するチャネルであるＥ−ＤＰＣＣＨ、Ｅ−ＤＰＤＣＨの送信許可を要求する情報（例えば、送信したいデータ量、使用可能な送信電力のマージン、最大送信電力）を送信するチャネル等があげられる。
【００８０】
ここで、ＴＦＣ Selectionの対象にない上りチャネルが複数存在する場合、リソース割当部１９１が、まず第２送信部の所定のチャネルについてリソースを確保し、他のチャネルについて、残ったリソースの割り当てを行うことも可能である。例として、Ｅ−ＤＣＨが存在する場合に、ＴＣＰ（Transmission Control Protocol）におけるＡＣＫやゲーム等の少ないデータ量で短い遅延時間が要求されるデータを送信する際に、これらのデータ用に最低限必要なリソースをまず確保し、他のチャネルについて、残ったリソースの割り当てを行う、あるいは、通信端末装置が基地局から送信許可を得ることなくいつでも送信してよいオートノマストランスミッション（Autonomous Transmission）で送信するチャネルについて最低限必要なリソースをまず確保し、他のチャネルについて、残ったリソースの割り当てを行うこと等が考えられる。
【００８１】
また、ＴＦＣ Selectionの対象にない上りチャネルが複数存在する場合、リソース割当部１９１が、チャネルや情報の種類によって優先度を考慮してリソースを割り当てる順番を決定することもできる。例えば、ＡＣＫ／ＮＡＣＫ等の既に受信したデータに対する情報は、これを送信しないと基地局装置が受信に失敗したと判断し、不要な再送が行われ無線回線を有効利用できないことになるため優先度を高くする。一方、ＣＱＩや送信要求等の未来のスケジューリングのための情報は、同じチャネルの他の情報より優先度を低くする。図２０は、その一例を示すフロー図である。図２０において、リソース割当部１９１は、まず、第１チャネルのリソースを計算し（ＳＴ２００１）、次に、優先度が高いＡＣＫ／ＮＡＣＫのリソースを計算し（ＳＴ２００２）、さらに、ＣＱＩ、Ｅ-ＤＰＤＣＨ、データフォーマット情報、送信要求情報の順にリソースを計算する（ＳＴ２００３〜ＳＴ２００６）。
【００８２】
また、本発明において、リソース割り当ての順番は固定的で有る必要はなく、順番を適応的に換えることもできる。これにより、ある情報は常にリソース不足で送信することができないといった状況を避けることができる。例えば、常にＡＣＫをＣＱＩよりも優先するのではなく、定期的にＣＱＩに優先的にリソースを割り当てれば、基地局装置にてＣＱＩが受信されないためスケジューリングされないといった状況を避けることができる。また、ＣＱＩとＥ−ＤＰＤＣＨの送信要求とでリソースを常に分けるのではなく、所定の割合（ネットワークからの設定値、過去のリソース不足状況等）で、一方が他方のリソースを使用して送信することを時分割的に行えば、送信する度に両者ともに所定の品質を満たせないといった状況を避けることができる。
【００８３】
また、本発明において、リソース割当部１９１は、ＴＦＣ Selectionの対象にない上りチャネルや情報の種類によって、第１送信部と第２送信部のどちらのリソースを優先して確保すべきかを判断することもできる。例えば、第１送信部からはシステムの運営に用いられる通信端末装置による測定結果の情報、第２送信部からはＣＱＩやＥ−ＤＰＤＣＨの送信要求のように基地局装置において未来のスケジューリングに用いる情報を送信する必要がある場合、第１送信部を優先すればシステム自体が成り立たなくなるような状況に陥ることを回避することができる。具体的には、通信端末装置がハンドオーバを行う必要がある場合に、第１送信部からの送信が優先されなければネットワーク側はハンドオーバを行うか否かを判断することができずハンドオーバ制御が行なわれないことにより通信が途絶えてしまうことが考えられる。しかしながら第１送信部からの送信を優先すれば、ネットワーク側が通信端末装置による測定結果の情報を知ることができるため、ハンドオーバ制御を行うことができ、通信が途絶えてしまうことを回避することができる。
【００８４】
また、上記実施の形態２においてＥ−ＤＣＨがある場合、送信状況モニタ部１１０１において、送信のＯＮ／ＯＦＦをモニタする代わりに、実際の送信レート、基地局装置に要求した送信レート、ネットワーク側（基地局装置、その他上位局装置）が許可した最大送信レート等をモニタすることにより制御を行ってもよい。
【産業上の利用可能性】
【００８５】
本発明は、ＣＤＭＡ方式の無線通信システムに使用され、ＴＦＣ Selectionを行う通信端末装置に用いるに好適である。
【図面の簡単な説明】
【００８６】
【図１】本発明の実施の形態１に係る通信端末装置の構成を示すブロック図
【図２】上記実施の形態に係る第１のリソース割り当て方法を示すフロー図
【図３】上記実施の形態に係る第１のリソース割り当て方法によりリソースを割り当てた結果を示す図
【図４】上記実施の形態に係る第１のリソース割り当て方法により割り当てた各リソースの時間的推移を示す図
【図５】上記実施の形態に係る第２のリソース割り当て方法を示すフロー図
【図６】上記実施の形態に係る第２のリソース割り当て方法によりリソースを割り当てた結果を示す図
【図７】上記実施の形態に係る第２のリソース割り当て方法により割り当てた各リソースの時間的推移を示す図
【図８】上記実施の形態に係る第３のリソース割り当て方法を示すフロー図
【図９】上記実施の形態に係る第３のリソース割り当て方法によりリソースを割り当てた結果を示す図
【図１０】上記実施の形態に係る第３のリソース割り当て方法により割り当てた各リソースの時間的推移を示す図
【図１１】本発明の実施の形態２に係る通信端末装置の構成を示すブロック図
【図１２】上記実施の形態に係るリソース割り当て方法を示すフロー図
【図１３】上記実施の形態に係るリソース割り当て方法によりリソースを割り当てた結果を示す図
【図１４】上記実施の形態に係るリソース割り当て方法により割り当てた各リソースの時間的推移を示す図
【図１５】本発明の実施の形態３に係る通信端末装置の構成を示すブロック図
【図１６】上記実施の形態に係るリソース割り当て方法を示すフロー図
【図１７】上記実施の形態に係るリソース割り当て方法によりリソースを割り当てた結果を示す図
【図１８】上記実施の形態に係るリソース割り当て方法を示すフロー図
【図１９】上記実施の形態に係るリソース割り当て方法によりリソースを割り当てた結果を示す図
【図２０】本発明のその他の実施の形態に係るリソース割り当て方法の一例を示すフロー図
【図２１】ＴＦＣ Selectionを説明するための図
【図２２】従来の通信端末装置の課題を説明するための図
【符号の説明】
【００８７】
１５１、１６４、１７１  チャネルエンコード部
１５２、１６５、１７２  変調部
１５３、１６６、１７３  拡散部
１５４、１６７、１７５  送信電力制御部
１５５、１６８、１７６  増幅部
１６１  バッファ
１６２  ＴＦＣ Selection部
１６３  ＴＦＣ決定部
１７４  オフセット制御部
１８１  送信無線部
１９１  リソース割当部
１１０１  送信状況モニタ部
１５０１  係数算出部
【図１】
2005064872.tif 000003
【図２】
2005064872.tif 000004
【図３】
2005064872.tif 000005
【図４】
2005064872.tif 000006
【図５】
2005064872.tif 000007
【図６】
2005064872.tif 000008
【図７】
2005064872.tif 000009
【図８】
2005064872.tif 000010
【図９】
2005064872.tif 000011
【図１０】
2005064872.tif 000012
【図１１】
2005064872.tif 000013
【図１２】
2005064872.tif 000014
【図１３】
2005064872.tif 000015
【図１４】
2005064872.tif 000016
【図１５】
2005064872.tif 000017
【図１６】
2005064872.tif 000018
【図１７】
2005064872.tif 000019
【図１８】
2005064872.tif 000020
【図１９】
2005064872.tif 000021
【図２０】
2005064872.tif 000022
【図２１】
2005064872.tif 000023
【図２２】
2005064872.tif 000024